(57)【特許請求の範囲】
【請求項１】
内部に液状物の貯留室を形成した柄部に塗布部を連設し、上記貯留室の液状物を上記塗布部の塗布芯部材に供給するようにした液状物の塗布器具において、
上記塗布芯部材は、それぞれが繊維を集合して形成した複数の芯材を重ね合わせた多層構造の芯部材を含み、少なくとも一つの芯材は繊維と繊維の隙間を他の芯材のものよりも大きく形成してなり、上記塗布芯部材は、貯留室から上記塗布芯部材に液状物を供給する通路に差し込まれる脚部を備え、
更に、上記芯部材は、少なくとも一つの芯材の繊維を太くし、他の芯材の繊維を細くすることにより、少なくとも一つの芯材は、繊維と繊維の隙間を他の芯材のものよりも大きく形成してなり、
上記塗布芯部材を取付け枠に押し込み移動自在に保持してなると共に、上記通路の途中に常閉式弁を設け、
上記常閉式弁は、上記塗布芯部材を押し込むことによって開き、上記通路を通じて塗布芯部材に液状物を供給するようにしたことを特徴とする液状物の塗布器具。
【請求項２】
内部に液状物の貯留室を形成した柄部に塗布部を連設し、上記貯留室の液状物を上記塗布部の塗布芯部材に供給するようにした液状物の塗布器具において、
上記塗布芯部材は、それぞれが繊維を集合して形成した複数のＴの字状の板状の芯材を重ね合わせた多層構造の芯部材を含み、少なくとも一つの芯材は、繊維と繊維の隙間を他の芯材のものよりも大きく形成してなり、
上記塗布芯部材を取付け枠に押し込み移動自在に保持してなると共に、貯留室から上記塗布芯部材に液状物を供給する通路の途中に常閉式弁を設け、上記常閉式弁は、上記塗布芯部材を押し込むことによって開き、上記通路を通じて塗布芯部材に液状物を供給するようにしたものであり、
更に、上記塗布芯部材を取付け枠の収納部に嵌め込むと共に、上記塗布芯部材のＴ字状中間脚部を、貯留室の液状物を塗布芯部材に供給する通路内に差し込んで上記常閉式弁に連結したことを特徴とする液状物の塗布器具。
【発明の詳細な説明】
【０００１】
【発明の属する技術分野】
本発明は、例えば、広告や看板等の塗布作業において、使用される液状物の塗布器具に関する。
【０００２】
【従来の技術】
筆や刷毛を使用して、広告や看板等の広い面積にわたりインクや塗料を塗布する場合、筆や刷毛を塗布液に頻繁に浸し、インクや塗料を補給しながら塗布する必要があった。しかし、筆や刷毛を塗布液に繰り返し浸してインクや塗料を頻繁に補給しながら塗布することは作業が煩雑になり、能率的に塗布できなかった。また、塗布した状態がムラになりやすかった。
【０００３】
【発明が解決しようとする課題】
そこで、出願人は柄の部分に塗料を溜める貯留室を形成し、貯留室から塗布部に塗料を補給するようにした塗布器具を考えた。また、塗布器具を使用しないときは塗布部にキャップを被せて塗布部の乾燥を防ぐ。
【０００４】
このような塗布器具を使用する場合は塗布部からキャップを取り外し、塗布部を被塗布部に当て使用し始める。しかし、使用開始時は塗布部が乾燥して塗料の量が不充分であったり、塗布部に塗料が充分に補給されるまで時間がかかることが予想される。
【０００５】
また、塗布器具を使用しないで保管しておく場合には、塗布部に被せたキャップ内に塗料が漏れ出すことがないようにするため、塗布液の貯留室から塗布部への補給路に弁を設け、この弁で通路を遮断することが考えられるが、このようにすると、一層、塗布部の乾燥が進んでしまい、使用できる状態になるまで、かなりの時間がかかってしまう。
【０００６】
本発明は上記課題に着目してなされたものであり、その目的とするところは、塗布器具を使用し始めるとき、使用できる状態になるまでの時間を短縮するようにした液状物の塗布器具を提供することにある。
【０００７】
【課題を解決するための手段】
請求項１に係る発明は、内部に液状物の貯留室を形成した柄部に塗布部を連設し、上記貯留室の液状物を上記塗布部の塗布芯部材に供給するようにした液状物の塗布器具において、上記塗布芯部材は、それぞれが繊維を集合して形成した複数の芯材を重ね合わせた多層構造の芯部材を含み、少なくとも一つの芯材は繊維と繊維の隙間を他の芯材のものよりも大きく形成してなり、上記塗布芯部材は、貯留室から上記塗布芯部材に液状物を供給する通路に差し込まれる脚部を備え、更に、上記芯部材は、少なくとも一つの芯材の繊維を太くし、他の芯材の繊維を細くすることにより、少なくとも一つの芯材は、繊維と繊維の隙間を他の芯材のものよりも大きく形成してなり、上記塗布芯部材を取付け枠に押し込み移動自在に保持してなると共に、上記通路の途中に常閉式弁を設け、上記常閉式弁は、上記塗布芯部材を押し込むことによって開き、上記通路を通じて塗布芯部材に液状物を供給するようにしたことを特徴とする。
【０００８】
請求項２の発明は、内部に液状物の貯留室を形成した柄部に塗布部を連設し、上記貯留室の液状物を上記塗布部の塗布芯部材に供給するようにした液状物の塗布器具において、上記塗布芯部材は、それぞれが繊維を集合して形成した複数のＴの字状の板状の芯材を重ね合わせた多層構造の芯部材を含み、少なくとも一つの芯材は、繊維と繊維の隙間を他の芯材のものよりも大きく形成してなり、上記塗布芯部材を取付け枠に押し込み移動自在に保持してなると共に、貯留室から上記塗布芯部材に液状物を供給する通路の途中に常閉式弁を設け、上記常閉式弁は、上記塗布芯部材を押し込むことによって開き、上記通路を通じて塗布芯部材に液状物を供給するようにしたものであり、更に、上記塗布芯部材を取付け枠の収納部に嵌め込むと共に、上記塗布芯部材のＴ字状中間脚部を、貯留室の液状物を塗布芯部材に供給する通路内に差し込んで上記常閉式弁に連結したことを特徴とする液状物の塗布器具である。
【００１０】
【発明の実施の形態】
本発明の一実施形態に係る液状物の塗布器具について図面を参照して説明する。
【００１１】
図１は塗布先端部にキャップを被せた塗布器具の正面図、図２はキャップを外した塗布器具の正面図、図３は塗布器具の縦断面図、図４はキャップを外した塗布先端部の平面図、図５は弁装置の縦断面図、図６は塗布先端部の塗布芯部材である。
【００１２】
本実施形態に係る塗布器具はインキなどの液状物の収納ケースを兼ねた把持用の柄（軸）部１と塗布先端部２を有しており、塗布先端部２には通常キャップ３が装着されている。
【００１３】
柄部１は尾端４を閉塞した円筒状部材５によって形成されており、柄部１の先端外周部分には小径の雄ねじ部６が形成されている。
【００１４】
上記塗布先端部２は取付け枠１１に塗布芯部材１２を保持してなり、塗布芯部材１２は図４および図６に示すように、Ｔ字状に切り出した所定の厚さの板状の吸液性部材からいわばハンマーヘッド型塗布芯を形成している。また、塗布芯部材１２は図４に示すように、内側芯材１３と外側芯材１４を重ね合わせた多層構造のものであり、具体的には、一枚の内側芯材１３を両側から２枚の外側芯材１４で挟み込み、一枚の内側芯材１３の両面を外側芯材１４で覆うようにした３層のサンドウイッチ構造の一体的なものとした。内側芯材１３と外側芯材１４はいずれも樹脂製の繊維を板状に固めて形成したものであり、内側芯材１３は例えばポリエステルまたはアクリル製の繊維を用い、外側芯材１４は例えばポリエステル製の繊維を用いている。
【００１５】
また、中間層となる内側芯材１３の繊維を太くし、外側芯材１４の繊維を細くすることにより、中間層となる内側芯材１３の繊維と繊維の隙間（空隙）を外側芯材１４のものより大きくしてある。従って、中間層となる内側芯材１３においては外側芯材１４の層に比べてインキなどの液状の塗料の吸液性および染み出しが早い。
【００１６】
図５に示すように、取付け枠１１はＴ字状に形成した板状の塗布芯部材１２を略密に嵌め込む箱状の収納部２１を形成してなり、さらに取付け枠１１はその下面中央から延びる断面形状が矩形状の連結筒部２２を介して柄部１の先端に接続する取付け筒部２３が連設されている。取付け筒部２３の内周面には上記柄部１の雄ねじ部６に螺合する雌ねじ部２４が形成されている。ここで、連結筒部２２の幅は取付け筒部２３の径よりも小さく、この連結筒部２２は首部として形成されている。
【００１７】
Ｔ字状に形成した板状の塗布芯部材１２の塗布部１２ａは取付け枠１１の箱状の収納部２１内に嵌め込んで配置され、Ｔの字状の塗布芯部材１２の中間脚部１２ｂは連結筒部２２内に入り込むように配置されている。そして、塗布芯部材１２は柄部１の長手軸方向に摺動できるように取り付けられている。また、Ｔ字状に形成した板状の塗布芯部材１２の各外面に対応する収納部２１および連結筒部２２の内壁面には柄部１の長手軸方向に沿って形成したリブ状の突起２５が適宜所定間隔をおいて形成されている。このリブ状の突起２５を形成したことにより塗布芯部材１２の外面が収納部２１および連結筒部２２の内壁面に全面的に密着することがなく、かつ、少なくとも突起２５の間に柄部１の塗料供給口に通じる隙間２６を形成するようになっている。また、塗布芯部材１２の側面に溝を形成したり、塗布芯部材１２の壁部内に孔を形成し、これを利用して液状塗料を塗布先端側へ導く作用を促進するようにしてもよい。
【００１８】
図３に示すように、上記柄部１の内部にはインキなどの液状の塗料を収納する貯留室３１が形成されている。尚、上記柄部１の内部にカートリッジを入れて液状物の貯留室３１を形成するようにしてもよい。
【００１９】
柄部１の開口端部内は貯留室３１から塗布芯部材１２に液状物を供給する通路を形成しており、これに連通して、上記連結筒部２２内にも貯留室３１から塗布芯部材１２に液状物を供給する通路３２を形成している。そして柄部１の開口端部内の通路には後述する常閉式の弁装置３３が設けられている。この弁装置３３を開閉することによって柄部１の貯留室３１の塗料供給口から塗布先端部２に供給する液状物の量を制御するようになっている。
【００２０】
上記弁装置３３は図５に示す如く構成されている。すなわち、筒状の樹脂製部材を保持枠３５としてなり、この保持枠３５の開口端には弁座部材３６が嵌め込まれている。弁座部材３６の中央には弁体３７に対峙する弁孔３８が形成されている。上記弁体３７は弁孔３８に対峙する面がテーパー状の斜面３９として形成されている。そして、弁体３７の斜面３９が弁孔３８の縁に当たることにより供給路を閉鎖し、弁体３７の斜面３９が弁孔３８の縁から離れることにより供給路を開放するようになっている。
【００２１】
上記弁体３７の一端には貯留室３１側に延びる長尺な支持杆４１が連設されている。また、弁体３７の他端には上記塗布先端部２側に突き出す筒部４２が連設されている。そして、筒部４２は弁座部材３６の弁孔３８に遊嵌され、かつ弁座部材３６の外面から上記通路３２内に充分に突き出すように設けられている。筒部４２の突き出し先端縁部には一部切欠き形成した複数の通路３２が形成されている。この通路３２は塗布芯部材１２の中間脚部１２ｂに弁装置３３の筒部４２が当たった状態でも筒部４２の内側にも塗料を廻り込ませるためのものである。
【００２２】
上記支持杆４１は保持枠３５の先端壁４３の中央に形成した貫通孔４４に摺動自在に嵌め込まれている。また、上記保持枠３５内において、支持杆４１には弾性付勢手段として、コイルばね４５が緩く巻装されている。このコイルばね４５の一端は弁体３７の背面に当て付けられ、コイルばね４５の他端は保持枠３５の先端壁４３に当て付けられている。弁体３７はコイルばね４５の弾性復元力を常に受けて閉鎖方向に付勢されているため、通常、弁装置３３は弁体３７によって閉鎖する状態に保持される。
【００２３】
保持枠３５の開口端には外側に突き出した鍔４６が形成されている。また、弁座部材３６の周縁には鍔４７が形成されている。そして、保持枠３５の鍔４６と弁座部材３６の鍔４７とは重ねられており、この状態で、弁装置３３は、保持枠３５を塗布先端部２の取付け筒部２３に密に嵌め込まれ、液密的に密着固定させられると共に、取付け筒部２３の内端周壁と柄部１の開口端によってその重ねられた鍔４６と鍔４７を挟み込んで締め付け、弁装置３３の保持枠３５を柄部１に固定する。
【００２４】
上記保持枠３５の先端側部分は先細に絞り込まれる形に形成され、貯留室３１の内壁面との間の隙間を大きく形成するようになっている。保持枠３５の先端側部分には複数の窓孔４８が形成され、これらの窓孔４８を通じて貯留室３１と保持枠３５の内部を連通させるようにしている。
【００２５】
一方、上記キャップ３は塗布先端部２の塗布芯部材１２を覆うように被せられて保持される。すなわち、図３に示すように、キャップ３の周縁に形成した溝５１内に上記取付け筒部２３の周縁に形成した鍔５２を嵌め込ませると共に、シール部材５３で密閉するようになっている。また、図１に示すように、キャップ３には係止片５６を設け、この係止片５６の係止孔５７を取付け枠１１の側面に形成した突起５５に係止することによりキャップ３を取付け枠１１に保持するようになっている。
【００２６】
次に、本実施形態の塗布器具の作用について説明する。塗布器具を使用しない保管時には塗布先端部２にキャップ３を被せてあり、また、弁装置３３は閉鎖している。このため、貯留室３１から塗布先端部２に塗料が供給されないので、塗布芯部材１２を通じてキャップ３内に塗料が溢れ出すことがない。
【００２７】
また、塗布器具を使用する場合はキャップ３を塗布先端部２から取り外し、塗布先端部２の塗布芯部材１２を繰り返し押し込む。塗布芯部材１２を押し込んだとき、塗布芯部材１２の中間脚部１２ｂが、弁装置３３の筒部４２を介して、コイルばね４５の付勢力に抗して、弁体３７を押し込む。すると、弁体３７が弁座部材３６から離れ、弁孔３８を開口させ、弁装置３３を開くので、貯留室３１から塗布先端部２に塗料が供給される。塗布芯部材１２を押し込む操作を繰り返すことにより、多くの塗料を塗布芯部材１２に供給することができる。この押し込む操作を繰り返す際に塗布芯部材１２や弁体３７などはポンピング作用を奏する。また、塗布芯部材１２の内側芯材１３と外側芯材１４はいずれも繊維の隙間の毛細管現象などにより吸液性と浸透性を示すように形成されているので、塗料が全体に行き渡るようにしみ出る。従って、仮に、塗布先端部２を上に向けておいても塗布芯部材１２に塗料を十分に供給することができる。そして、使用できる状態になるまで押し込む操作を繰り返す。もっとも、このとき、塗布先端部２を下に向けておくと、塗布芯部材１２に塗料を効率的に供給することができる。
【００２８】
このようにして、液状の塗料が塗布芯部材１２の中間脚部１２ｂから塗布部１２ａ全体に染み渡って使用できる状態になる。
【００２９】
本実施形態では塗布芯部材１２は中間層となる内側芯材１３の液状の塗料の吸液性および染み出しが外側芯材１４の層に比べて早い。このため、内側芯材１３を通じて塗布芯部材１２の先端部分への液状塗料の染み出しが早まり、流量がアップし、初期の液出し時間の短縮化が図れる。例えばプッシュ回数が２０のところ１０〜１５回で完了する。また、内側芯材１３は一般に強度が弱いが、これを外側芯材１４で保護し、塗布芯部材１２を補強するため、塗布芯部材１２の強度を高め、塗布先端部２の耐久性を確保することができる。
【００３０】
尚、本発明は前述した実施形態のものに限定されるものではなく、他の形態にも適用が可能なものである。前述した実施形態の塗布芯部材１２は一枚の内側芯材１３の両面を２枚の外側芯材１４で挟むようにしたものであるが、一方の外側芯材１４を省略した２層構造のものでもよい。内側芯材１３と外側芯材１４を交互に重ねる４層構造でも複数の内側芯材１３を外側芯材１４に相当するものの間に挟み込むように５層以上に積層する構造のものであってもよい。また、内側芯材１３と外側芯材１４の繊維を形成する材料は他の樹脂製のものであってもよい。
【００３１】
【発明の効果】
以上説明したように本発明によれば、塗布器具を使用し始めるとき、使用できる状態になるまでの時間を短縮するようにした液状物の塗布器具を提供することができる。
【図面の簡単な説明】
【図１】本発明の一実施形態に係る塗布器具の塗布先端部にキャップを被せた状態の正面図。
【図２】キャップを外した上記塗布器具の正面図。
【図３】上記塗布器具の縦断面図。
【図４】キャップを外した上記塗布器具の塗布先端部の平面図。
【図５】上記塗布器具の弁装置の縦断面図。
【図６】上記塗布器具の塗布芯部材の斜視図。
【符号の説明】
１…柄部、２…塗布先端部、１１…取付け枠、１２…塗布芯部材、
１３…内側芯材、１４…外側芯材、２１…収納部、２２…連結筒部、
２３…取付け筒部、１２ｂ…中間脚部、３１…貯留室、３３…弁装置、
３５…保持枠、３６…弁座部材、３７…弁体、３８…弁孔。
【図１】
0004871460.tif 000002
【図２】
0004871460.tif 000003
【図３】
0004871460.tif 000004
【図４】
0004871460.tif 000005
【図５】
0004871460.tif 000006
【図６】
0004871460.tif 000007